【手続補正書】
【提出日】平成30年5月23日(2018.5.23)
【手続補正１】
【補正対象書類名】特許請求の範囲
【補正対象項目名】全文
【補正方法】変更
【補正の内容】
【特許請求の範囲】
【請求項１】
無線端末、ビーコン端末、無線接続装置、及び位置検出サーバを備える位置検出システムであって、
前記無線端末は、前記無線接続装置と無線接続し、
前記ビーコン端末は、所定の第１位置に設置され、前記無線接続装置と無線接続し、第１のビーコン信号を無線送信し、
前記無線接続装置は、所定の第２位置に設置され、前記位置検出サーバと接続し、前記無線端末及び前記ビーコン端末と無線接続し、第２のビーコン信号を無線送信し、
前記位置検出サーバには、前記無線端末の位置検出シーケンスが実行される前に、前記ビーコン端末の第１位置の情報、前記無線接続装置の第２位置の情報、前記無線接続装置からの前記第１のビーコン信号の電波強度の計測情報及び前記ビーコン端末が計測した前記第２のビーコン信号の電波強度の計測情報を含む第１のリファレンスデータが予め登録され、
前記無線端末の位置検出シーケンスにおいて、
前記無線端末は、前記第１のビーコン信号又は前記第２のビーコン信号の電波強度を測定し、その測定結果を第１の探索結果として前記無線接続装置に送信し、
前記第１の探索結果は、前記無線接続装置から前記位置検出サーバに転送され、
前記位置検出サーバは、前記第１のリファレンスデータと前記第１の探索結果とを用いて、前記無線端末の位置検出を行い、
前記第１のリファレンスデータを含むリファレンスデータの更新シーケンスにおいて、    前記ビーコン端末は、前記無線接続装置が送信する前記第２のビーコン信号の電波強度を測定し、その測定結果を第２の探索結果として前記無線接続装置に送信し、
前記第２の探索結果は、前記無線接続装置から前記位置検出サーバに転送され、
前記位置検出サーバは、前記第２の探索結果を基に、前記第２の探索結果を送信した前記ビーコン端末に係る前記第１のリファレンスデータを更新し、
さらに前記無線端末の位置検出シーケンスにおいて、
前記位置検出サーバは、前記第２の探索結果を基に更新された第１のリファレンスデータと前記第１の探索結果とを用いて、前記無線端末の位置検出を行う、
位置検出システム。
【請求項２】
請求項１に記載の位置検出システムであって、
前記ビーコン端末は、第１の電波強度で前記第１のビーコン信号を送信し、
前記無線接続装置は、前記第１の電波強度よりも大きい第２の電波強度で前記第２のビーコン信号を送信し、
前記位置検出サーバは、
前記第１の探索結果に前記第１のビーコン信号の受信情報が含まれている場合、前記第１のビーコン信号を送信した前記ビーコン端末の前記所定の第１位置に前記無線端末が存在すると推定し、
前記第１の探索結果に前記第１のビーコン信号の受信情報が含まれていない場合、予め登録された前記リファレンスデータを用いる位置指紋方式により、前記無線端末の位置検出を行う、位置検出システム。
【請求項３】
請求項２に記載の位置検出システムであって、
前記ビーコン端末は、前記第２の探索結果を送信する際、前記第１のビーコン信号の送信を停止し、前記第１の電波強度よりも電波強度を増大させる、位置検出システム。
【請求項４】
請求項１に記載の位置検出システムであって、
前記ビーコン端末は、第１の電波強度で前記第１のビーコン信号を送信し、
前記無線接続装置は、前記第１の電波強度よりも大きい第２の電波強度で前記第２のビーコン信号を送信し、
前記ビーコン端末はさらに、前記リファレンスデータの更新シーケンスにおいて前記第２の探索結果を送信する際、前記第１のビーコン信号の送信を停止し、前記第１の電波強度よりも電波強度を増大させて前記第２の探索結果を前記無線接続装置に送信し、前記第２の探索結果の送信後に前記第１の電波強度での前記第１のビーコン信号の送信を再開する、位置検出システム。
【請求項５】
請求項１ないし請求項４のいずれか１項に記載の位置検出システムであって、
前記位置検出サーバは、
ユーザインタフェースを備え、
前記ユーザインタフェースを介して前記第１のリファレンスデータを更新する更新指示を受け付け、
前記無線接続装置を介して前記更新指示を前記ビーコン端末へ送信し、
前記ビーコン端末は、
前記更新指示を受信し、
前記更新指示に従って、前記第２のビーコン信号の電波強度を測定する、位置検出システム。
【請求項６】
請求項１ないし請求項４のいずれか１項に記載の位置検出システムであって、
前記位置検出サーバは、
前記無線接続装置を介して、前記第１のリファレンスデータを更新する更新指示を前記ビーコン端末へ定期的に送信し、
前記ビーコン端末は、
前記更新指示を受信し、
前記更新指示に従って、前記第２のビーコン信号の電波強度を定期的に測定する、位置検出システム。
【請求項７】
請求項１ないし６のいずれか１項に記載の位置検出システムであって、
前記無線端末の位置検出シーケンスが実行される前に前記位置検出サーバに予め登録されるリファレンスデータは、前記無線接続装置が測定した他の前記無線接続装置からの前記第２のビーコン信号の電波強度を計測情報として有する第２のリファレンスデータをさらに含み、
前記リファレンスデータの更新シーケンスにおいて、
前記無線接続装置は、
他の前記無線接続装置からの前記第２のビーコン信号の電波強度を測定し、その測定結果を第３の探索結果として前記位置検出サーバに送信し、
前記位置検出サーバは、
前記第３の探索結果を受信し、
前記第３の探索結果を基に、前記第２のリファレンスデータを更新し、
さらに前記無線端末の位置検出シーケンスにおいて、
前記位置検出サーバは、前記第３の探索結果を基に更新された第２のリファレンスデータを含む更新された前記リファレンスデータと前記第１の探索結果とを用いて、前記無線端末の位置検出を行う、位置検出システム。
【請求項８】
請求項１ないし７のいずれか１項に記載の位置検出システムであって、更に、
構内交換機を備え、
前記無線端末は、前記無線接続装置及び前記構内交換機を介して前記第１の探索結果を前記位置検出サーバへ送信し、
前記ビーコン端末は、前記無線接続装置及び前記構内交換機を介して前記第２の探索結果及び前記第１のリファレンスデータを前記位置検出サーバへ送信する、位置検出システム。
【請求項９】
無線端末、ビーコン端末、無線接続装置、及び位置検出サーバを備える位置検出システムにおける位置検出方法であって、
前記無線端末は、前記無線接続装置と無線接続し、
前記ビーコン端末は、所定の第１位置に設置され、前記無線接続装置と無線接続し、第１のビーコン信号を無線送信し、
前記無線接続装置は、所定の第２位置に設置され、前記位置検出サーバと接続し、前記無線端末及び前記ビーコン端末と無線接続し、第２のビーコン信号を無線送信し、
前記位置検出サーバには、前記無線端末の位置検出シーケンスが実行される前に、前記ビーコン端末の第１位置の情報、前記無線接続装置の第２位置の情報、前記無線接続装置からの前記第１のビーコン信号の電波強度の計測情報及び前記ビーコン端末が計測した前記第２のビーコン信号の電波強度の計測情報を含む第１のリファレンスデータが予め登録され、
前記無線端末の位置検出シーケンスにおいて、
前記無線端末は、前記第１のビーコン信号又は前記第２のビーコン信号の電波強度を測定し、その測定結果を第１の探索結果として前記無線接続装置に送信し、
前記第１の探索結果は、前記無線接続装置から前記位置検出サーバに転送され、
前記位置検出サーバは、前記第１のリファレンスデータと前記第１の探索結果とを用いて、前記無線端末の位置検出を行い、
前記第１のリファレンスデータを含むリファレンスデータの更新シーケンスにおいて、    前記ビーコン端末は、前記無線接続装置が送信する前記第２のビーコン信号の電波強度を測定し、その測定結果を第２の探索結果として前記無線接続装置に送信し、
前記第２の探索結果は、前記無線接続装置から前記位置検出サーバに転送され、
前記位置検出サーバは、前記第２の探索結果を基に、前記第２の探索結果を送信した前記ビーコン端末に係る前記第１のリファレンスデータを更新し、
さらに前記無線端末の位置検出シーケンスにおいて、
前記位置検出サーバは、前記第２の探索結果を基に更新された第１のリファレンスデータと前記第１の探索結果とを用いて、前記無線端末の位置検出を行う、
位置検出方法。
【手続補正２】
【補正対象書類名】明細書
【補正対象項目名】０００７
【補正方法】変更
【補正の内容】
【０００７】
本開示の位置検出システムは、無線端末、ビーコン端末、無線接続装置、及び位置検出サーバを備える位置検出システムであって、前記無線端末は、前記無線接続装置と無線接続し、前記ビーコン端末は、所定の第１位置に設置され、前記無線接続装置と無線接続し、第１のビーコン信号を無線送信し、前記無線接続装置は、所定の第２位置に設置され、前記位置検出サーバと接続し、前記無線端末及び前記ビーコン端末と無線接続し、第２のビーコン信号を無線送信し、前記位置検出サーバには、前記無線端末の位置検出シーケンスが実行される前に、前記ビーコン端末の第１位置の情報、前記無線接続装置の第２位置の情報、前記無線接続装置からの前記第１のビーコン信号の電波強度の計測情報及び前記ビーコン端末が計測した前記第２のビーコン信号の電波強度の計測情報を含む第１のリファレンスデータが予め登録され、前記無線端末の位置検出シーケンスにおいて、前記無線端末は、前記第１のビーコン信号又は前記第２のビーコン信号の電波強度を測定し、その測定結果を第１の探索結果として前記無線接続装置に送信し、前記第１の探索結果は、前記無線接続装置から前記位置検出サーバに転送され、前記位置検出サーバは、前記第１のリファレンスデータと前記第１の探索結果とを用いて、前記無線端末の位置検出を行い、前記第１のリファレンスデータを含むリファレンスデータの更新シーケンスにおいて、前記ビーコン端末は、前記無線接続装置が送信する前記第２のビーコン信号の電波強度を測定し、その測定結果を第２の探索結果として前記無線接続装置に送信し、前記第２の探索結果は、前記無線接続装置から前記位置検出サーバに転送され、前記位置検出サーバは、前記第２の探索結果を基に、前記第２の探索結果を送信した前記ビーコン端末に係る前記第１のリファレンスデータを更新し、さらに前記無線端末の位置検出シーケンスにおいて、前記位置検出サーバは、前記第２の探索結果を基に更新された第１のリファレンスデータと前記第１の探索結果とを用いて、前記無線端末の位置検出を行う。